(57)【要約】  【課題】  固有の識別情報を備えた定型の平板状情報媒体を整然と収納するとともに、要求があり次第収納場所から情報媒体を的確に取り出すことができる情報媒体収納／取り出し装置、及びそのような情報媒体の預かり装置を提供する。  【解決手段】  通帳預かり装置１は、筐体１０の正面側内面に通帳２の収納ラック３１を複数列にわたり配置している。収納ラック３１には左右１対の溝３５により構成される保持段部が多段に形成されている。移載部４０の移載ラック６１にも、通帳ガイド６２Ｌ、６２Ｒに形成された溝６４により構成される保持段部が設けられており、これを収納ラック３１の保持段部に接近させておいて通帳の受け渡しを行う。収納ラック３１には接近した通帳ガイド６２Ｌの前端を受け止めて保持段部同士を整列させる位置決め部９０が設けられている。【選択図】      図２
2006137591.tif 000002
【特許請求の範囲】
【請求項１】
平板状情報媒体から固有識別情報を読み取る識別装置と、前記情報媒体を個別に、且つ水平に保持する保持段部を複数個、垂直方向に配列してなる収納ラックと、前記保持段部に対し前記情報媒体の収納／取り出し動作を行う移載部とを備え、前記移載部が次の構成を有することを特徴とする情報媒体収納／取り出し装置：
（ａ）前記収納ラックと所定間隔を置いて配置されるピックアップボックス
（ｂ）前記情報媒体を水平に保持する保持段部を備え、前記ピックアップボックスに支持された状態で水平移動して前記収納ラックに接近又は離間する移載ラック
（ｃ）前記収納ラックと、これに接近した移載ラックとの間で前記情報媒体の出し入れを行う出し入れ装置
（ｄ）情報媒体毎の固有識別情報を制御データとして前記ピックアップボックスの昇降、前記移載ラックの水平移動、及び前記出し入れ装置の情報媒体出し入れ動作の制御を行う制御装置。
【請求項２】
前記収納ラックには、接近した前記移載ラックを受け止めて収納ラック側の保持段部に対し移載ラック側の保持段部を整列させる位置決め部が設けられていることを特徴とする請求項１に記載の情報媒体収納／取り出し装置。
【請求項３】
前記位置決め部は、収納ラック側の保持段部と移載ラック側の保持段部とを前記情報媒体の厚み方向及び幅方向に整列させるものであることを特徴とする請求項２に記載の情報媒体収納／取り出し装置。
【請求項４】
前記収納ラックは、互いに平行する１対の垂直側板の対向面に水平な溝を多段に形成して保持段部を構成したものであることを特徴とする請求項１−３のいずれか１項に記載の情報媒体収納／取り出し装置。
【請求項５】
前記溝は、前記移載ラックに対向する側の端がテーパ状に広がっていることを特徴とする請求項４に記載の情報媒体収納／取り出し装置。
【請求項６】
前記出し入れ装置は、前記移載ラック上で前記収納ラックに接近する方向又はそこから離間する方向に水平移動するスライダと、このスライダに支持されて前記情報媒体を上下から挟むトングと、このトングを開閉させる駆動装置とを備えるものであることを特徴とする請求項１−５のいずれか１項に記載の情報媒体収納／取り出し装置。
【請求項７】
請求項１−６のいずれか１項に記載の情報媒体収納／取り出し装置を筐体に内蔵し、前記移載部は、前記筐体正面に設けた預け入れ口から挿入された情報媒体を取り込んで前記収納ラックに収納し、また収納ラックに保持された情報媒体を取り込んで前記預け入れ口側に戻す動作を行うことを特徴とする情報媒体預かり装置。
【請求項８】
前記収納ラックを前記筐体の正面側内面に複数列にわたり配置するとともに、前記ピックアップボックスを水平方向にシフトさせて任意の列の収納ラックに整列させるシフト装置が設けられていることを特徴とする請求項７に記載の情報媒体預かり装置。
【発明の詳細な説明】
【技術分野】
【０００１】
本発明は定型の平板状情報媒体であって財産的価値の高いもの、例えば預貯金の通帳やクレジットカードなどを大量に収納するとともに、その収納場所から情報媒体を誤りなく取り出すことのできる情報媒体収納／取り出し装置に関する。またそのような情報媒体を預かる情報媒体預かり機に関する。
【背景技術】
【０００２】
預貯金の通帳を手元に置いておくのに不安を感じ、セキュリティ体制の整備された機関に預けたいという人は多い。このような要請に応えるため、多くの金融機関は貸金庫を備えている。しかしながら現在の貸金庫システムには、賃借コストが高いとか、預けたいものの体積に比較して金庫ボックス容積が大きすぎる、また運用形態によっては物品の出し入れに金融機関従業員の手を煩わさなければならないといったデメリットがある。金融機関の側においても、地価コストを考えた場合、貸金庫は収益手段としてそれほど魅力のあるものではない。また物品の出し入れ要求があった場合、本人確認や金庫ボックスの出し入れに人手を割かねばならず、人的コストが馬鹿にならない。
【０００３】
貸金庫以外の預かりシステムとして、特許文献１に記載されたものがある。特許文献１に記載された装置は、、銀行の各営業店において顧客から重要証券（通帳、証書、キャッシュカード等）を預かり、これを管理する。
【特許文献１】特開平５−３０３６７５号公報（第２−３頁、図１）
【発明の開示】
【発明が解決しようとする課題】
【０００４】
特許文献１記載の装置は、顧客から重要証券を預かる際に手書帳簿に記入する必要がなく、業務を省力化することができる。しかしながら重要証券の受け渡し自体は顧客と金融機関従業員との間の手渡しによることになる。また重要証券をどのように保管するかについては、具体的な提案はない。
【０００５】
本発明は上記の点に鑑みてなされたものであり、預貯金の通帳やクレジットカードなど、固有の識別情報を備えた定型の平板状情報媒体を整然と収納するとともに、要求があり次第収納場所から情報媒体を的確に取り出すことができる情報媒体収納／取り出し装置を提供することを目的とする。またそのような情報媒体を預け入れることのできる情報媒体預かり装置を提供することを目的とする。
【課題を解決するための手段】
【０００６】
（１）上記目的を達成するために本発明は、情報媒体収納／取り出し装置を次のように構成する。すなわち平板状情報媒体から固有識別情報を読み取る識別装置と、前記情報媒体を個別に、且つ水平に保持する保持段部を複数個、垂直方向に配列してなる収納ラックと、前記保持段部に対し前記情報媒体の収納／取り出し動作を行う移載部とを備え、前記移載部が次の構成を有することを特徴としている。
（ａ）前記収納ラックと所定間隔を置いて配置されるピックアップボックス
（ｂ）前記情報媒体を水平に保持する保持段部を備え、前記ピックアップボックスに支持された状態で水平移動して前記収納ラックに接近又は離間する移載ラック
（ｃ）前記収納ラックと、これに接近した移載ラックとの間で前記情報媒体の出し入れを行う出し入れ装置
（ｄ）情報媒体毎の固有識別情報を制御データとして前記ピックアップボックスの昇降、前記移載ラックの水平移動、及び前記出し入れ装置の情報媒体出し入れ動作の制御を行う制御装置。
【０００７】
この構成によると、情報媒体は収納ラックに設けた複数個の保持段部のいずれかに個別に保持されるものであるから、他の情報媒体とこすれ合って汚れたり、傷ついたり、識別情報が認識しにくくなったりすることが少ない。また情報媒体収納場所の番地管理が容易且つ確実であり、情報媒体を取り違えることが少ない。さらに、移載ラックを収納ラックに接近させておいて情報媒体の出し入れを行うから、移載ラックと収納ラックとの隙間に情報媒体が引っ掛かり、そのため動作を失敗したなどという羽目に陥ることが少ない。長く使用して変形した情報媒体を扱う場合、このことは特に重要である。
【０００８】
（２）また本発明は、上記構成の情報媒体収納／取り出し装置において、前記収納ラックには、接近した前記移載ラックを受け止めて収納ラック側の保持段部に対し移載ラック側の保持段部を整列させる位置決め部が設けられていることを特徴としている。
【０００９】
この構成によると、情報媒体の出し入れの際、収納ラック側の保持段部と移載ラック側の保持段部が確実に整列するから、情報媒体をスムーズに出し入れすることができる。
【００１０】
（３）また本発明は、上記構成の情報媒体収納／取り出し装置において、前記位置決め部は、収納ラック側の保持段部と移載ラック側の保持段部とを前記情報媒体の厚み方向及び幅方向に整列させるものであることを特徴としている。
【００１１】
この構成によると、保持段部同士が情報媒体の厚み方向にも幅方向にも整列するので、保持段部同士の合わせ面に情報媒体の角が引っ掛かるといったトラブルがなくなる。
【００１２】
（４）また本発明は、上記構成の情報媒体収納／取り出し装置において、前記収納ラックは、互いに平行する１対の垂直側板の対向面に水平な溝を多段に形成して保持段部を構成したものであることを特徴としている。
【００１３】
この構成によると、収納ラックに多段の保持段部を容易に、且つコスト安に形成できる。しかも両端を溝に保持された情報媒体の上下には隙間が生まれるので、情報媒体を挟んで取り出すという作業を容易に行うことができる。
【００１４】
（５）また本発明は、上記構成の情報媒体収納／取り出し装置において、前記溝は、前記移載ラックに対向する側の端がテーパ状に広がっていることを特徴としている。
【００１５】
この構成によると、テーパ状に広がった溝の端に情報媒体が送り込まれるので、収納ラックの保持段部と移載ラックの保持段部との間に多少のずれがあったとしても、引っ掛かりを生じることなく情報媒体を収納ラックに移すことができる。情報媒体が通帳であり、綴じ側でなく開き側を先に立てて溝に押し込む場合など、この構成は特に有効である。
【００１６】
（６）また本発明は、上記構成の情報媒体収納／取り出し装置において、前記出し入れ装置は、前記移載ラック上で前記収納ラックに接近する方向又はそこから離間する方向に水平移動するスライダと、このスライダに支持されて前記情報媒体を上下から挟むトングと、このトングを開閉させる駆動装置とを備えるものであることを特徴としている。
【００１７】
この構成によると、平板状の情報媒体を上下からトングで挟み、傷つけることなく、しかも確実に情報媒体を出し入れすることができる。
【００１８】
（７）本発明は、上記のような情報媒体収納／取り出し装置を筐体に内蔵させて情報媒体預かり装置を構成するとともに、前記移載部は、前記筐体正面に設けた預け入れ口から挿入された情報媒体を取り込んで前記収納ラックに収納し、また収納ラックに保持された情報媒体を取り込んで前記預け入れ口側に戻す動作を行うことを特徴としている。
【００１９】
この構成によると、情報媒体預け入れと払い出しを預託者の手で簡便に行うことのできる情報媒体預かり装置を提供することができる。これにより、預託者自身はプライバシーを守りつつ情報媒体の出し入れを行うことができるとともに、情報媒体預かり装置を設置した事業体にとっても人的コストをかけずに預かりサービスを提供できるというメリットが生まれる。
【００２０】
（７）また本発明は、上記構成の情報媒体預かり装置において、前記収納ラックを前記筐体の正面側内面に複数列にわたり配置するとともに、前記ピックアップボックスを水平方向にシフトさせて任意の列の収納ラックに整列させるシフト装置が設けられていることを特徴としている。
【００２１】
この構成によると、情報媒体の収納場所が二次元的に広がって情報媒体を多数保持することができるとともに、情報媒体の出し入れ自体は機械化された仕組みで自動的に行うことができ、設置者にとっても預託者にとってもメリットの大きい情報媒体預かり装置となる。
【発明の効果】
【００２２】
本発明によると、収納ラックに設けた複数個の保持段部のいずれかに情報媒体を個別に保持するので、情報媒体同士がこすれ合って汚れたり、傷ついたり、識別情報が認識しにくくなったりすることが少ない。また情報媒体収納場所の番地管理を確実に行うことができ、情報媒体を取り違えるといったことがない。また情報媒体の出し入れは移載ラックを収納ラックに接近させておいて行うから、移載ラックと収納ラックとの隙間に情報媒体を引っ掛けたりすることなく出し入れすることができ、変形した情報媒体であってもそれが動作不良をもたらすことがない。しかも収納ラックには接近した移載ラックを受け止めて収納ラック側の保持段部に対し移載ラック側の保持段部を整列させる位置決め部が設けられているから、情報媒体をスムーズに出し入れすることができる。さらに、収納ラックの垂直側板の対向面に水平な溝を多段に形成して保持段部を構成するから、多段の保持段部を容易に、且つコスト安に形成でき、しかも両端を溝に保持された情報媒体の上下には隙間が生まれるので、情報媒体を挟んで取り出すという作業を容易に行うことができる。
【００２３】
そして本発明によると、上記のような情報媒体収納／取り出し装置を筐体に内蔵させて情報媒体預かり装置を構成し、移載部は筐体正面に設けた預け入れ口から挿入された情報媒体を取り込んで収納ラックに収納し、また収納ラックに保持された情報媒体を取り込んで前記預け入れ口側に戻す動作を行うようにしたから、情報媒体預け入れと払い出しを預託者の手で簡便に行うことのできる情報媒体預かり装置を提供することができる。
【発明を実施するための最良の形態】
【００２４】
以下、本発明の第１実施形態を図１−図１９に基づき説明する。情報媒体預かり装置の第１実施形態として提示するのは預貯金の通帳を預かる通帳預かり装置であり、図１はその正面側からの外観斜視図、図２は背面側からの外観斜視図である。
【００２５】
通帳預かり装置１は直方体形状の筐体１０を備える。筐体１０は前蓋１０ａ、本体１０ｂ、後蓋１０ｃを組み合わせて構成される。前蓋１０ａ、本体１０ｂ、後蓋１０ｃはいずれも鋼板からなる。図２には後蓋１０ｃを取り除いた状態が示されている。
【００２６】
筐体１０の正面には、成人が手を載せて操作するのが容易な高さのところに、水平なカウンターシェルフ１１が形成されている。前蓋１０ａの垂直壁には、カウンターシェルフ１１より上の部分にパネル部１２が設けられている。パネル部１２の上部にはタッチパネル付ディスプレイ１３が配置される。タッチパネル付ディスプレイ１３は各種操作を指示あるいは選択するための操作手段として機能するものであり、各種の文字情報や図形情報を表示する平面ディスプレイに、指で触れて操作を行う透明なタッチパネルが組み合わせられている。
【００２７】
タッチパネル付ディスプレイ１３の下方には横長スロット状の預け入れ口１４が配置される。パネル部１２の下部は預け入れ口１４に向かってオーバーハング状に傾斜し、預け入れ口１４に通帳２を挿入しやすくなっている。
【００２８】
カウンターシェルフ１１の上面には登録ボタン１５が配置される。登録ボタン１５は後述する指紋情報取得装置のセンサ部分を内蔵している。パネル部１２の上方には通帳預かり装置１の正面に立った人物の顔を撮影するカメラ１６が配置されている。
【００２９】
筐体１０の内部には通帳の取り込み及び収納場所への収納と、収納場所からの取り出し及び排出を行う通帳収納取出手段が設けられている。通帳収納取出手段を構成するのは入出機構部２０及び移載部４０である。
【００３０】
入出機構部２０は預け入れ口１４から通帳２を取り込み、筐体１０内面側に開口した受け渡し口２１を通じて移載部４０との間で通帳２を受け渡しするものであり、上下対をなす搬送ベルト（図示せず）に通帳を挟んで水平方向に搬送する。その過程で、通帳２の固有の識別情報を識別装置により読み取る。ここでは通帳２の下面に形成された磁気ストライプ（ＭＳ）から識別情報を読み取る磁気リーダー２２（図３参照）が識別装置として機能する。
【００３１】
筐体１０は正面側内面に通帳２の収納部３０を備える。収納部３０は収納ラック３１を複数列配置して構成されている。収納ラック３１は左右１対の垂直側板３２Ｌ、３２Ｒを天井板３３と底板３４で連結して、前後面が開口した矩形の枠としたものである。垂直側板３２Ｌ、３２Ｒの対向面には通帳２の端部を保持する水平な溝３５がそれぞれ多段に形成されている。溝３５は左右１個ずつで１段の保持段部を構成する。なお本明細書では、筐体１０の内部構造について左右を区別する場合、図２のように背面側から見たときに左側にあるものを「左」とし、右側にあるものを「右」とする。
【００３２】
収納部３０の背後には、入出機構部２０より取り込んだ通帳２を収納部３０に収納し、また収納部３０から通帳２を取り出して入出機構部２０に戻す移載部４０が配置される。移載部４０は二つの部分からなる。すなわち後述する通帳出し入れ機構を搭載したピックアップボックス６０と、ピックアップボックス６０を移動させる移動機構部５０である。移動機構部５０はピックアップボックスの昇降装置として機能するのみならず、ピックアップボックス６０を水平方向にシフトさせるシフト装置としても機能する。
【００３３】
移動機構部５０は、ピックアップボックス６０を昇降させる要素と、ピックアップボックス６０を水平方向にシフトさせる要素を組み合わせて構成される。ピックアップボックス６０を昇降させる要素は筐体１０の左右の壁の内面に近接させて配置した垂直な送りねじ５１である（図２には一方の送りねじ５１のみ示す）。送りねじ５１に図示しないベルトを介して連結されたモータ５２が送りねじ５１に回転を与える。送りねじ５１が回転すると、そのナット部分を内蔵するナットハウジング５３が昇降する。
【００３４】
左右のナットハウジング５３の間に２本のロッド５４ａ、５４ｂが水平に架設され、ピックアップボックス６０はこのロッド５４ａ、５４ｂに支持されている。ロッド５４ａ、５４ｂのうち一方は送りねじとなっており、この送りねじを図示しないモータで回転させることにより、ピックアップボックス６０は水平方向にシフトする。この水平方向の動きと、送りねじ５１による垂直方向の動きとが相まって、ピックアップボックス６０は垂直面内で二次元的に移動する。
【００３５】
続いてピックアップボックス６０に搭載される通帳出し入れ機構の構造を、図３の構成概念図及び図１２の実体的部分斜視図に基づき説明する。通帳出し入れ機構は筐体１０の前後方向に水平移動可能な移載ラック６１と、移載ラック６１に支持された左右１対の水平な通帳ガイド６２Ｌ、６２Ｒを備える。移載ラック６１はモータ６３により前後方向の動きを与えられる。通帳ガイド６２Ｌ、６２Ｒは、収納ラック３１の垂直側板３２Ｌ、３２Ｒと同様、対向面に水平な溝６４が形成され、左右の溝６４により１段の保持段部を構成している。なお通帳ガイド６２Ｌ、６２Ｒは１個の剛体を構成するように結合されている。
【００３６】
移載ラック６１は出し入れ装置６５を支持する。出し入れ装置６５は、前後方向に水平移動可能なスライダ６６と、スライダ６６に前後方向の動きを与えるモータ６７と、スライダ６６に支持されたトング６８と、トング６８を開閉させる駆動装置６９よりなる。トング６８は通帳ガイド６２Ｌ、６２Ｒの溝６４と並ぶ高さに置かれている。
【００３７】
トング６８は２枚の細長い金属板を上下に間隔を置いて配置し、後端同士をスペーサを介して連結し、前端同士の間には通帳２を受け入れる隙間を形成したものである。トング６８を構成する２枚の金属板のうち、少なくとも上側のものは弾性に富む金属材料で形成する。この上側の金属板を上から押してたわませ、前端を下方に変位させると、下側の金属板との間で通帳２が挟み付けられることになる。駆動装置６９が上側の金属板をたわませるものであり、これは、モータ６９ａと、モータ６９ａの軸に固定され、回転角に応じて上側の金属板を圧迫する偏心カム６９ｂにより構成される。
【００３８】
機構の動きを監視するため、各所にセンサが配置される。まずピックアップボックス６０の昇降に関しては上限センサ７０Ｕと下限センサ７０Ｌが設けられる。移載ラック６１の前後動に関してはセンサ７１が設けられる。スライダ６６の前後動に関しては前進限センサ７２Ｆと後退限センサ７２Ｒが設けられる。偏心カム６９ｂの回転角に関しては角度センサ７３が設けられる。また図示しないがピックアップボックス６０の水平方向の移動限界にもセンサが置かれる。
【００３９】
通帳預かり装置１の回路ブロック構成を図１７に示す。全体制御を司る制御手段である制御装置８０は、サブシステムとして預託者登録情報記憶部８１、通帳収納情報記憶部８２、預託者照合部８３、及び機構部分の動作を司る動作制御部８４を備える。制御装置８０には、タッチパネル付ディスプレイ１３、入出機構部２０、磁気リーダー２２、移載部４０の他、登録ボタン１５を構成要素に含む指紋情報取得装置８５、カメラ１６を構成要素に含む顔情報取得装置８６、及び警報装置８７と電源８８が接続される。
【００４０】
指紋情報取得装置８５と顔情報取得装置８６は、預託者識別情報を入力する情報入力手段として機能する。警報装置８７は、預かっている通帳２に不正アクセスが試みられたとき、通帳２の発行元にその旨を通報するものである。
【００４１】
次に、通帳預かり装置１の動作を説明する。主に図３−図１１の構成概念図と図１８、１９のフローチャートに基づき説明を行う。
【００４２】
まず図１８により通帳２の登録及び預け入れの流れを説明する。通帳預かり装置１に通帳２を預けることを希望する利用者は、タッチパネル付ディスプレイ１３に表示されている初期画面の説明を読み（ステップ＃１０１）、続いて預け入れ口１４に通帳２を挿入する（ステップ＃１０２）。通帳２の一部が預け入れ口１４に挿入されると入出機構部２０がこれを取り込み、磁気リーダー２２で通帳２の磁気ストライプから識別情報を読み取る（ステップ＃１０３）。制御部８０はこの識別情報を制御データとして以後の動作制御を行う。
【００４３】
読み取った識別情報を、預託者登録情報記憶部８１に記憶されている識別情報と照合し、この通帳が登録済みの通帳（登録通帳）であるか、未登録の通帳であるかを判定する（ステップ＃１０４）。登録通帳であればステップ＃１０５に進む。未登録通帳であればステップ＃１０７に進む。
【００４４】
ステップ＃１０５では通帳２を収納部３０に収納する作業が行われる。まず、通帳ガイド６２Ｌ、６２Ｒの溝６４を入出機構部２０の受け渡し口２１に整列させる必要がある。通帳ガイド６２Ｌ、６２Ｒがその位置になければ、通帳ガイド６２Ｌ、６２Ｒがその位置に来るようにピックアップボックス６０の移動が行われる。この時移載ラック６１は、その前端を収納ラック３１あるいは入出機構部２０から所定間隔離した状態で移動する。なお図３−図１１では通帳ガイド６２Ｌ、６２Ｒの間のトング６８のみ描かれ、通帳ガイド６２Ｌ、６２Ｒそのものは図示省略となっている。
【００４５】
通帳ガイド６２Ｌ、６２Ｒの溝６４が受け渡し口２１に並んだら、モータ６３が移載ラック６１を前進させ、入出機構部２０に接近させる（図４参照）。通帳ガイド６２Ｌ、６２Ｒの先端が受け渡し口２１に突き合わせられるまで移載ラック６１の接近は続く。
【００４６】
通帳ガイド６２Ｌ、６２Ｒの先端が受け渡し口２１に合わさったところで、モータ６７がスライダ６６を前進させる（図５参照）。トング６８の前端は開いた状態にあり、トング６８を構成する２枚の金属板は通帳２の上と下に侵入する。トング６８の前端が所定長さ分通帳２に重なったところでスライダ６６の前進は停止する。ここで駆動装置６９が動作し、トング６８に通帳挟み付け動作を行わせる。
【００４７】
トング６８が通帳２を挟んだ後、モータ６７がスライダ６６を後退させる（図６参照）。これにより通帳２は受け渡し口２１から引き抜かれ、その左右両端が通帳ガイド６２Ｌ、６２Ｒの溝６４に入り込むことになる。通帳２が通帳ガイド６２Ｌ、６２Ｒに完全に取り込まれるまでスライダ６６を後退させる。
【００４８】
通帳２を通帳ガイド６２Ｌ、６２Ｒに完全に取り込んだ後、モータ６３が移載ラック６１を後退させ、通帳ガイド６２Ｌ、６２Ｒを入出機構部２０から離間させる（図７参照）。
【００４９】
移載ラック６１が入出機構部２０から離間した後、移載部４０は動作制御部８４からの指令を受け、空いた保持段部のある収納ラック３１に並ぶ位置にピックアップボックス６０を移動させる。収納ラック３１の溝３５の中で空いているものに通帳ガイド６２Ｌ、６２Ｒの溝６４が整列したら、モータ６３が移載ラック６１を前進させ、収納ラック３１に接近させる（図８参照）。通帳ガイド６２Ｌ、６２Ｒの溝６４が収納ラック３１の溝３５に突き合わせられるまで移載ラック６１の接近は続く。
【００５０】
溝６４が溝３５に合わさったところで、モータ６７がスライダ６６を前進させる（図９参照）。すると通帳２は通帳ガイド６２Ｌ、６２Ｒから押し出され、その左右両端が収納ラック３１の溝３５に入り込む。通帳２が収納ラック３１に完全に押し込まれるまでスライダ６６を前進させる。
【００５１】
通帳２を収納ラック３１に完全に押し込んだ後、駆動装置６９はトング６８を開き、通帳２を釈放する。そしてモータ６７はスライダ６６を引き戻す（図１０参照）。
【００５２】
続いてモータ６３が移載ラック６１を後退させ、通帳ガイド６２Ｌ、６２Ｒを収納ラック３１から離間させる（図１１参照）。
【００５３】
通帳２がどの保持段部に収納されたかを、磁気ストライプの識別情報データと収納場所を対応させて通帳収納情報記憶部８２に記憶させる（ステップ＃１０６）。これをもって通帳収納動作は完了する。
【００５４】
次に、ステップ１０４からステップ＃１０７に進んだケースについて説明する。ステップ＃１０７では、通帳預託の新規契約についての説明がタッチパネル付ディスプレイ１３に表示される。利用者は、通帳預託の新規契約をするかどうかの意思決定を行い、タッチパネル上の選択キーに触れて意思を伝える（ステップ＃１０８）。新規契約を行わないのであればステップ＃１１６に進み、通帳２は預け入れ口１４から返却される。新規契約を行うのであればステップ＃１０９に進む。
【００５５】
ステップ＃１０９において、利用者はタッチパネル付ディスプレイ１３に表示される指示に従い登録ボタン１５を押す。登録ボタン１５が押されると、指紋情報取得装置８５は登録ボタン１５を押した指から指紋情報を読み取る。
【００５６】
タッチパネル付ディスプレイ１３には登録についての説明と指示が表示される（ステップ＃１１０）。利用者は指示に従い電話番号と自分で決めた暗証を入力する（ステップ＃１１１）。このステップを経て、利用者は預託者となる。
【００５７】
その後、顔情報取得装置８６はカメラ１６で預託者の顔を撮影して顔情報を取得する（ステップ＃１１２）。顔写真のデータは預託者登録情報記憶部８１に保存される（ステップ＃１１３）。指紋情報も預託者登録情報記憶部８１に保存される。
【００５８】
以後、通帳２は登録通帳として収納され（ステップ＃１１４）、通帳２がどの保持段部に収納されたかを、磁気ストライプの識別情報データと収納場所を対応させて通帳収納情報記憶部８２に記憶させる（ステップ＃１１５）。これをもって未登録通帳の登録と収納の手続は完了する。
【００５９】
続いて図１９により通帳２の払い出しの流れを説明する。通帳預かり装置１に預けた通帳２の払い出しを希望する預託者は、タッチパネル付ディスプレイ１３に表示されている初期画面の説明を読み（ステップ＃１２１）、電話番号と暗証を入力する（ステップ＃１２２）。すると顔情報取得装置８６はカメラ１６で預託者の顔を撮影して顔情報を取得し、預託者照合部８３は今回の顔情報を預託者登録情報記憶部８１に保存されていた顔情報と照合する（ステップ＃１２３）。今回撮影した顔写真のデータは、前回のデータを更新する形で預託者登録情報記憶部８１に保存される（ステップ＃１２４）。
【００６０】
顔情報の照合の結果、預託者本人であることが確認されたら、移載部４０は通帳収納情報記憶部８２に記憶されていた収納場所から預託者の通帳２を取り出し、それを入出機構部２０に排出する（ステップ＃１２５）。入出機構部２０では磁気リーダー２２が移載部４０から送り込まれた通帳２の磁気ストライプから識別情報を読み取る（ステップ＃１２６）。
【００６１】
今回読み取った識別情報を、預託者の通帳の識別情報として預託者登録情報記憶部８１に記憶されているデータと照合し、一致するかどうかを調べる（ステップ＃１２７）。データが一致すれば、その通帳２は預託者が払い出しを求めている通帳に間違いないので預け入れ口１４から払い出す（ステップ＃１２８）。データが一致しなければ、移載部４０が間違った通帳２を取り出したということなので、エラーとして処理する（ステップ＃１２９）。すなわちタッチパネル付ディスプレイ１３にエラー表示を出すとともに、必要があれば係員にも報知する。
【００６２】
通帳預かり装置１に記帳機の機能を備えさせることもできる。このようにすれば、通帳２の預け入れ又は払い出しの際通帳２に記帳するという使い方が可能になる。
【００６３】
筐体１０をこじ開けようとする試みがなされたときは、警報装置８７がアラームを鳴らし、警備会社又は警察に通報する。同時に、通帳２の発行元である金融機関にも通報する。これを受け、金融機関では勘定系システムを操作して通帳２の利用差止処置をとることができる。従って、筐体１０のこじ開けが成功し、通帳２が盗み出されてしまっても、預貯金の引き出しを未然に防ぐことができる。
【００６４】
勘定系システムとの連係で言えば、正規の手続を経て、すなわち預託者本人が本人確認の手続を経て取り出した通帳２でないかぎり、出金手続ができないようにすることもできる。このようにすれば、警報装置８７を作動させることなく筐体１０を開けて通帳２を取り出すことに成功したとしても、預貯金を引き出すことができないので、預託者が損害を蒙ることはない。
【００６５】
本実施形態では、預託者の本人識別情報として預託者の生体情報（バイオメトリクス）を用いている。生体情報としては指紋情報及び顔情報を採用したが、別の生体情報（虹彩の模様や血管のパターンなど）を採用することもできる。ただし顔情報を識別情報とし、取引毎に記憶するものとすれば、預託者になりすまして通帳を不正取得しようとする第三者に対し、顔をさらさねばならないという心理的圧迫を加え、犯罪行為の未然防止につなげることができる。また犯罪が起こってしまった後の捜査にも、記憶した顔情報を役立てることができる。
【００６６】
さて、通帳２というものは使っているうちに反ったり、端部がめくれたりすることがある。このように変形した通帳２は移載部４０と収納ラック３１との間で受け渡しを行う際に引っ掛かりが生じることがある。引っ掛かりが生じると収納／取り出しが阻害されるうえ、通帳２が破損する可能性もある。財産的価値の高い通帳２をそのような羽目に陥らせないため、変形した通帳２であっても受け渡しをスムーズに行えるようにする必要がある。そこでまず、収納ラック３１側と移載ラック６１側とで溝３５、６４の位置がきちんと合うような位置決めの仕組みを収納ラック３１と移載ラック６１の間に設ける。その構造を図１２及び図１３を参照しつつ説明する。
【００６７】
位置決めに関わるのは、収納ラック３１側においては垂直側板３２Ｌ、移載ラック６１側においては通帳ガイド６２Ｌである。図１２に見られるように、垂直側板３２Ｌの端縁に通帳ガイド６２Ｌを受け止める位置決め部９０を形成する。位置決め部９０は垂直方向に連なる複数個の鋸歯状凹部９１（図１３参照）により構成される。保持段部を構成する溝３５に１個ずつ対応する形で鋸歯状凹部９１は形成されている。他方通帳ガイド６２Ｌの前端には、鋸歯状凹部９１に対応する形で１個の鋸歯状凸部９２が形成されている。
【００６８】
図１４のように移載ラック６１が収納ラック３１に接近すると、位置決め部９０の鋸歯状凹部９１に鋸歯状凸部９２が係合し、通帳ガイド６２Ｌ及び、これと１個の剛体を構成するように結合された通帳ガイド６２Ｒの前端部は収納ラック３１に対し所定の相対高さに位置決めされる。この結果、溝３５と溝６４は高さがぴたりと揃うことになる。
【００６９】
この状態で図１５のように通帳２が押し出されると、通帳２は引っ掛かりを生じることなく溝６４から溝３５に乗り移る。なお溝３５は、通帳２をスムーズに受け入れられるよう、入口がテーパ状に広がった形をしている。図１６は通帳２を溝３５に移し終えた後、通帳ガイド６２Ｌが収納ラック３１から離れて行く状況を示している。
【００７０】
鋸歯状凹部と鋸歯状凸部の位置を逆にし、垂直側板３２Ｌの方に鋸歯状凸部を設け、通帳ガイド６２Ｌの方に鋸歯状凹部を設ける構成とすることも可能である。
【００７１】
上記のような位置決めの仕組みは、入出機構部２０の受け渡し口２１にも設けることができる。これにより、受け渡し口２１に溝６４をぴたりと合わせることができる。
【００７２】
また溝３５は、図１３に見られるように、移載ラック６１に対向する側の端が移動ラック６１に向かってテーパ状に広がり、テーパ部３５ａを構成している。テーパ部３５ａが存在することにより、収納ラック３１の保持段部すなわち溝３５と移載ラックの保持段部すなわち溝６４との間に多少のずれがあったとしても、引っ掛かりを生じることなく通帳２を溝３５に押し込むことができる。通帳２を、綴じ側でなく開き側に立てて溝３５に押し込む場合など、特に効果が顕著である。
【００７３】
溝３５は垂直面内でテーパ状に広がっているが、水平面内でも、左右の溝３５にそれぞれ片テーパをつけ、左右合わせて移動ラック６１の方向に広がった形状とすることができる。これにより、通帳２の受け入れを一層スムーズに行えるようになる。
【００７４】
本発明の第２実施形態を図２０、２１に示す。図２０、２１はいずれも要部水平断面図で、異なる動作状態を示すものである。
【００７５】
第１実施形態の場合、収納ラック３１側の保持段部と移載ラック６１側の保持段部との整列は通帳２の厚み方向に関してのみ行われていた。第２実施形態は、その整列を通帳２の幅方向にも行おうとするものである。すなわち収納ラック３１の垂直側板３２Ｌ、３２Ｒには、その最も外側の箇所に誘導突部９３が形成されている。誘導突部９３は通帳ガイド６２Ｌ、６２Ｒを抱え込むものであり、その対向面は通帳ガイド６２Ｌ、６２Ｒの方に向かってテーパ状に開いている。
【００７６】
通帳ガイド６２Ｌ、６２Ｒが収納ラック３１に接近して行ったとき、通帳ガイド６２Ｌ、６２Ｒが収納ラック３１に対し通帳２の幅方向に位置ずれしていれば、通帳ガイド６２Ｌ、６２Ｒのいずれかの前端が誘導突部９３のテーパ面に当たり、正しい位置に誘導される。これにより、通帳ガイド６２Ｌ、６２Ｒは位置を矯正される。通帳ガイド６２Ｌ、６２Ｒを収納ラック３１に接近させ続けると、図２１に見られるように、鋸歯状凸部９２が鋸歯状凹部９１にかみ合う段階で通帳ガイド６２Ｌ、６２Ｒと収納ラック３１との水平方向の水平方向の位置も揃う。
【００７７】
このように、収納ラック３１と移載ラック６１の保持段部同士が通帳２の厚み方向にも幅方向にも整列するので、保持段部同士の合わせ面に通帳２の角が引っ掛かるといったトラブルがなくなる。この仕組みを入出機構部２０の受け渡し口２１にも適用できることは勿論である。
【００７８】
本発明の第３実施形態を図２２、２３に示す。図２２、２３はいずれも部分斜視図で、異なる動作状態を示すものである。
【００７９】
第１実施例及び第２実施例では、左右１対の溝３５をもって収納ラック３１側の保持段部を形成していた。第３実施例はその保持段部を、薄い棚板３６により構成しようとするものである。
【００８０】
図に見られるように、棚板３６の後端には三角形の凹部３７を形成する。凹部３７は棚板３６の幅方向中心を頂点とする二等辺三角形となっている。このような形状にしておくと、通帳２の中で、通帳ガイド６２Ｌ、６２Ｒに支持された両端の部分が最初に棚板３６に乗り移り、それから通帳２の中心部分が棚板３６に乗り移って行くことになる。従って、通帳２が下方にたわんだ形状であったとしても、そのたわみの部分が棚板３６に引っ掛って動きを阻害することがない。また、このように凹部３７を設けておくと、トング６８で通帳２を挟むのも容易である。
【００８１】
第１実施形態及び第２実施形態で紹介した保持段部同士の整列の仕組みは、この第３実施形態にも適用可能である。
【００８２】
以上本発明の各実施形態につき説明したが、この他、発明の主旨から逸脱しない範囲で種々の改変を加えて実施することができる。
【産業上の利用可能性】
【００８３】
本発明は、預貯金の通帳やクレジットカードなど、固有の識別情報を有する定型の平板状情報媒体を多数保管する用途に、特にそれらを業として預かる装置に広く利用可能である。
【図面の簡単な説明】
【００８４】
【図１】本発明の第１実施形態に係る通帳預かり装置の正面側からの外観斜視図
【図２】通帳預かり装置の背面側からの外観斜視図
【図３】内部機構の構成概念図
【図４】異なる状態の構成概念図
【図５】異なる状態の構成概念図
【図６】異なる状態の構成概念図
【図７】異なる状態の構成概念図
【図８】異なる状態の構成概念図
【図９】異なる状態の構成概念図
【図１０】異なる状態の構成概念図
【図１１】異なる状態の構成概念図
【図１２】実体的部分斜視図
【図１３】要部側面図
【図１４】異なる状態の要部側面図
【図１５】異なる状態の要部側面図
【図１６】異なる状態の要部側面図
【図１７】回路ブロック図
【図１８】第１の動作フローチャート
【図１９】第２の動作フローチャート
【図２０】第２実施形態に係る要部水平断面図
【図２１】図２０と異なる状態の要部水平断面図
【図２２】第３実施形態に係る部分斜視図
【図２３】図２０と異なる状態の部分斜視図
【符号の説明】
【００８５】
１    通帳預かり装置
２    通帳
１０  筐体
１１  カウンターシェルフ
１２  パネル部
１３  タッチパネル付ディスプレイ
１４  預け入れ口
１５  登録ボタン
１６  カメラ
２０  入出機構部
２２  磁気リーダー（識別装置）
３０  収納部
３１  収納ラック
４０  移載部
６０  ピックアップボックス
６１  移載ラック
６５  出し入れ装置
６６  スライダ
６８  トング
６９  駆動装置
８０  制御装置
９０  位置決め部
９１  鋸歯状凹部
９２  鋸歯状凸部
９３  誘導突部
【図１】
2006137591.tif 000003
【図２】
2006137591.tif 000004
【図３】
2006137591.tif 000005
【図４】
2006137591.tif 000006
【図５】
2006137591.tif 000007
【図６】
2006137591.tif 000008
【図７】
2006137591.tif 000009
【図８】
2006137591.tif 000010
【図９】
2006137591.tif 000011
【図１０】
2006137591.tif 000012
【図１１】
2006137591.tif 000013
【図１２】
2006137591.tif 000014
【図１３】
2006137591.tif 000015
【図１４】
2006137591.tif 000016
【図１５】
2006137591.tif 000017
【図１６】
2006137591.tif 000018
【図１７】
2006137591.tif 000019
【図１８】
2006137591.tif 000020
【図１９】
2006137591.tif 000021
【図２０】
2006137591.tif 000022
【図２１】
2006137591.tif 000023
【図２２】
2006137591.tif 000024
【図２３】
2006137591.tif 000025